(57)【要約】【課題】特別な波長の光源装置を用いることなく、光伝送線路中の光信号の有無を検出して特定の心線を判別することができ、また、ＰＤＳ（ＰＯＮ）通信で現用回線の光伝送状態に影響を与えることなく特定の光信号の有無を判別できる光心線判別装置及び判別方法を提供する。【解決手段】光ファイバ１を部分的に曲げて光信号を漏洩させる曲げ付与部１０と、漏洩光を検出する受光素子１１と、受光した漏洩光を増幅し判別する検出回路１３を備えた光心線判別装置であって、受光素子１１の受光面側に波長選択フィルタ１０，１ａ，１０ｂを備える構成とする。【選択図】　　　　図２
2004109401.tif 000002
【特許請求の範囲】
【請求項１】
光ファイバを部分的に曲げて光信号を漏洩させる曲げ付与部と、漏洩光を検出する受光素子と、受光した漏洩光を増幅し判別する検出回路を備えた光心線判別装置であって、前記受光素子の受光面側に波長選択フィルタを備えていることを特徴とする光心線判別装置。
【請求項２】
前記受光素子を少なくとも２個有し、それぞれの受光面側に波長範囲の異なる波長選択フィルタを備えていることを特徴とする請求項２に記載の光心線判別装置。
【請求項３】
光ファイバを曲げ付与部により部分的に曲げて光信号を漏洩させ、漏洩光を受光素子により検出し、検出した漏洩光を検出回路により増幅し判別する光心線判別方法であって、波長選択フィルタを介して前記漏洩光を受光素子により検出することを特徴とする光心線判別方法。
【請求項４】
パッシブダブルスター（ＰＤＳ）又はパッシブオプチカルネットワーク（ＰＯＮ）回線におけるスプリッタの分岐側で、ユーザ伝送装置（ＯＮＵ）の有無又は回線対照の判別を行なうことを特徴とする請求項３に記載の光心線判別方法。
【発明の詳細な説明】
【０００１】
【発明の属する技術分野】
本発明は、光伝送線路の心線対照、活線判定等を行なうのに用いられる光心線判別装置及び光心線判別方法に関する。
【０００２】
【従来の技術】
光ケーブルの敷設等において、ケーブル内に収納されている複数の光ファイバ心線の光損失をそれぞれ測定するために、光ファイバ心線を判別して特定する必要がある。光ファイバ心線の判別には、通常、光ケーブルの一方の端部から特別の光信号（例えば、２７０Ｈｚの周波数に変調された光信号）を送出し、他方の端部側で受光素子により受光検出し、検出回路により判別している。受光素子による光信号の検出には、光ファイバを部分的に曲げ、曲げによる生じる漏洩光を受光検出している（例えば、特許文献１参照）。
【０００３】
また、光ファイバ心線を判別する装置として、ハンドタイプのものが知られている（例えば、特許文献２参照）。図１は、前記特許文献２に記載されたものとは形状が異なるが、光心線判別装置の一例を示す図である。図１（Ａ）は光ファイバ心線をセットするときの状態を示す図、図１（Ｂ）は判定中の動作状態を示す図である。図中、１は光ファイバ、２は本体部、３はヘッド部、４は半円状の凸出部、５は案内溝、６は可動部、７は操作つまみ、８は表示部、９はリセット釦を示す。
【０００４】
図１に例示した光心線判別装置は、本体部２の先端側にヘッド部３を有し、ヘッド部３に対向して可動部６をスライド可能に配して構成されている。ヘッド部３は、可動部６側に突出する半円状の凸出部４を有し、凸出部４には光ファイバ１を湾曲させて収納する案内溝５が設けられている。可動部６は、表面に表示ランプ等を配した表示部８及びリセット釦９等を有し、一体に設けた操作つまみ７を前方に押出すことにより、図１（Ａ）の非動作状態から図１（Ｂ）の動作状態にすることができる。
【０００５】
可動部６の先端部は、凸状部４に適合する形状の凹部で形成され、凹部には１つの受光素子又は２つの受光素子（図示されず）が配設されている。図１（Ａ）の状態で、光ファイバ１を凸出部４の案内溝５に沿わせて収納し、光ファイバ１に曲げを付与する。次いで、操作つまみ７を押出して、図１（Ｂ）の動作状態とし、外部光を遮光し、ヘッド部３で曲げを付与された光ファイバ１からの漏洩光を受光素子で受光検出する。検出された漏洩光は、本体部２及び可動部６内に設けられた検出回路（図示せず）により増幅、判別され、表示部８あるいはブザー（図示せず）により、光ファイバ内を伝送する光信号の有無が表示される。
【０００６】
【特許文献１】
特開平０９−１７８９４５号公報
【特許文献２】
特開平０８−１１０４１６号公報
【０００７】
【発明が解決しようとする課題】
上述した従来の心線判別装置を用いて、図３で示すようなＰＤＳ（Ｐａｓｓｉｖｅ　Ｄｏｕｂｌｅ　Ｓｔａｒ）通信、又は、ＰＯＮ（Ｐａｓｓｉｖｅ　Ｏｐｔｉｃａｌ　Ｎｅｔｗｏｒｋ）通信と称されている光伝送線路の活線状態を検出しようとする。ＰＤＳ（ＰＯＮ）通信では、ＯＬＴ（電話局　Ｏｐｔｉｃａｌ　Ｌｉｎｅ　Ｔｅｒｍｉｎａｌ）からの下りの光信号λ１は、スプリッタにより分岐され、複数のＯＮＵ（ユーザ宅　Ｏｐｔｉｃａｌ　Ｎｅｔｗｏｒｋ　Ｕｎｉｔ）に送信される。各ＯＮＵ１〜ＯＮＵ４では、自分宛にきた光信号のみを選択し取得する。この、下りの光信号λ１には、各ＯＮＵ１〜ＯＮＵ４からの上りの光信号λ２の送出タイミングを制御する信号も含まれている。
【０００８】
各ＯＮＵ１〜ＯＮＵ４からは、ＯＬＴが指定した送出タイミングで上りの光信号λ２を送出する。各ＯＮＵ１〜ＯＮＵ４から送出された各光信号λ２は、スプリッタで結合されＯＬＴが指定したタイミングの信号列Ｔで、ＯＬＴに入る。ＯＬＴでは、上りの光信号λ２の信号列ＴをＯＮＵ１〜ＯＮＵ４毎の光信号に分けられる。
【０００９】
ここで、例えば、ＯＵＮ１の廃止申請があり、スプリッタ〜ＯＵＮ１間の回線を撤去しようとする。この場合、スプリッタのどのポートにＯＵＮ１がつながっているかの判別は、通常、スプリッタ出口側のＸ点で行なわれる。実際は、光ケーブルの接続、分岐等を行なうクロージャを開けて行なわれる。この回線の判別に上述した光心線判別装置を使用すると、ＯＵＮ１の電源を切って光信号λ２が送出されないようにしても、ＯＬＴ側からの上りの光信号λ１が送出されているため、この光信号λ１の漏洩光を検出して活線状態と見なされ、ＯＵＮ１の回線を特定することができない。
【００１０】
また、ＯＵＮ１側から光信号λ１，λ２とは異なる特別な光信号（例えば、２７０Ｈｚの周波数に変調された光信号）を回線内に入れ、Ｘ点でその漏洩光を検出して回線を対照することは可能である。しかし、ＯＵＮ１側に特別な波長の変調光を送出する高価な光源装置を準備する必要があり、また、その変調光がＯＬＴに入って悪影響を及ぼす可能性があり実用的でない。更に、左右に設けた２つの受光素子で受光する漏洩光のレベルを比較し、その光信号の方向を検出して、ＯＵＮ１側からの光信号λ１であるか、ＯＬＴ側からの光信号λ２であるかを判定する方法も考えられるが、外乱光等に左右されやすく精度のよい判定は望むことができない。
【００１１】
本発明は、上述した実情に鑑みてなされたもので、特別な波長の光源装置を用いることなく、光伝送線路中の光信号の有無を検出して特定の心線を判別することができ、また、ＰＤＳ（ＰＯＮ）通信で現用回線の光伝送状態に影響を与えることなく特定の光信号の有無を判別できる光心線判別装置及び判別方法を提供することを課題とする。
【００１２】
【課題を解決するための手段】
本発明による光心線判別装置は、光ファイバを部分的に曲げて光信号を漏洩させる曲げ付与部と、漏洩光を検出する受光素子と、受光した漏洩光を増幅し判別する検出回路を備えた光心線判別装置であって、受光素子の受光面側に波長選択フィルタを備える構成としたものである。
【００１３】
また、本発明による光心線判別方法は、光ファイバを曲げ付与部により部分的に曲げて光信号を漏洩させ、漏洩光を受光素子により検出し、検出した漏洩光を検出回路により増幅し判別する光心線判別方法であって、前記漏洩光を波長選択フィルタを介して受光素子により検出するようにしたものである。
【００１４】
【発明の実施の形態】
図１及び図２により本発明の実施の形態を説明する。図１は従来技術の説明で用いた光心線判別装置の一例を示す図、図２（Ａ）は本発明の一例を示す図、図２（Ｂ）は本発明の他の例を示す図である。図中、１は光ファイバ、１０は曲げ付与部、１１は受光素子、１２、１２ａ，１２ｂは波長選択フィルタ、１３は検出回路を示す。
【００１５】
本発明による光心線判別装置は、従来技術の項で説明したのと同様に、図１に示すような形状で構成することができる。すなわち、光心線判別装置は、本体部２の先端側にヘッド部３を有し、ヘッド部３に対向して可動部６をスライド可能に配して構成される。ヘッド部３は、可動部６側に突出する半円状の凸出部４を有し、凸出部４には光ファイバ１を曲げて収納する案内溝５が設けられている。
【００１６】
可動部６は、表面に表示部８及びリセット釦９等を有し、一体に設けた操作つまみ３を前方に押出すことにより、図１（Ａ）の非動作状態から図１（Ｂ）の動作状態にすることができる。動作状態とされたとき、外部光を遮光し、ヘッド部３の案内溝５内への収納によって曲げを付与された光ファイバ１からの漏洩光を受光素子１１（図２参照）により検出する。検出された漏洩光は、本体部２及び可動部６内に設けられた検出回路１３（図２参照）により増幅、判別し、その結果を表示部８あるいはブザー（図示せず）により表示される。
【００１７】
可動部６の先端部は、凸状部４に適合する形状の凹部で形成され、図２（Ａ）に示すように光ファイバ１の曲げ付与部１０を形成している。可動部６側の凹部には、例えば、２つの受光素子１１が左右に配設されていて、曲げ付与部１０で曲げられた光ファイバ１に接近して、光ファイバ１からの漏洩光を受光検出する。なお、受光素子１１は１つ配設する構成であってもよいが、２つの受光素子１１を用いることにより、信号光の方向判別も可能となる。すなわち、曲げ付与部１０では、最初の曲りで検出される漏洩光は、次の曲りで検出される漏洩光より大きく、２つの受光素子１１で検出できる漏洩光のレベルの大小を比較することにより光信号方向の判別ができる。
【００１８】
本発明においては、受光素子１１の受光面側に波長選択フィルタ１２を介して光ファイバ１の漏洩光を受光するようにしている。波長選択フィルタ１２は、例えば、誘電体多層膜等の各種のフィルタを用いることができる。この波長選択フィルタ１２を受光素子１１の受光面側に貼付ける等の方法で配置することにより、曲げ付与部１０の部分で漏洩する特定波長の光信号のみを検出することが可能となる。すなわち、波長多重通信においては、特定波長帯の光信号の有無を検出することができる。
【００１９】
また、本発明においては、図２（Ｂ）に示すように、少なくとも２つの受光素子１１を設け、それぞれの受光素子の受光面側に、波長の異なる波長選択フィルタ１０ａ，１０ｂを配置することができる。これにより、例えば、図の左側の受光素子１１では波長λａのみを検出受光でき、右側の受光素子１１では波長λｂのみを検出受光できるようにすることができる。なお、いずれか一方の受光素子に波長選択フィルタを配置しない構成としてもよい。
【００２０】
検出回路１３では、波長λａと、波長λｂの検出の切替を行なう切替手段を備え、２つの異なる波長の光信号を判別し、また、その光信号の有無を調べることも可能である。なお、受光素子１１は、２つに限らず３つ以上設けてもよく、それぞれの受光素子に選択波長の異なる波長選択フィルタを配置し、検出の切替えを行なうことにより、波長多重された光伝送線路の中から特定の波長帯の光信号を選択し、その光信号の有無を調べることも可能である。
【００２１】
以上のように構成された図２（Ａ）の光心線判別装置を、図３のＰＤＳ（ＰＯＮ）通信回線で現況の通信状態のままで、スプリッタの出口側のＸ点で心線判別を行なうのに使用したとする。そして、波長選択フィルタ１２は、下りの光信号λ２の波長帯を選択できるものを用いるとする。例えば、ＯＵＮ１の廃止申請があり、スプリッタ〜ＯＵＮ１の回線を撤去するため、スプリッタの出口側のＸ点でＯＵＮ１の心線の判別を行なうものとする。
【００２２】
この場合、ＯＮＵ１の電源が切られ不使用状態にあり、ＯＬＴ及びＯＮＵ２〜ＯＮＵ４が通常の使用状態にあるものとする。波長選択フィルタ１２が上りの光信号λ２の波長のみを透過させるように選定されているため、ＯＬＴからの下りの光信号λ１は検出されない。また、ＯＮＵ１からも上りの光信号λ２が送出されていないため、Ｘ点で上りの光信号λ２も検出されない。この結果、Ｘ点では光信号の検出は無しとなり、ＯＮＵ１回線の心線であると特定することができる。他のＯＮＵ２〜ＯＮＵ４では、上りの光信号λ２が検出され、活線状態にあると判定される。なお、安全を期すためには、ＯＮＵ１側の電源を入れたときにＸ点で上り信号λ２が検出され、再びＯＮＵ１側の電源を切った時に、Ｘ点で上りの光信号λ２が検出されないことを確認するとよい。
【００２３】
また、図２（Ｂ）のように構成された光心線判別装置を、図３のＰＤＳ（ＰＯＮ）通信回線で現況の通信状態のままで、スプリッタの出口Ｘ点で心線判別を行なうのに使用したとする。そして、例えば、一方の波長選択フィルタ１２ａを上りの光信号λ２の検出が可能なものとし、他方の波長選択フィルタ１２ｂを下りの光信号λ１の検出が可能なものとする。前記と同様に、ＯＵＮ１の廃止申請があり、スプリッタ〜ＯＵＮ１の回線を撤去するため、スプリッタの出口部のＸ点でＯＵＮ１の心線の判別を行なうものとする。
【００２４】
この場合、ＯＮＵ１の電源が切られ不使用状態にあり、ＯＬＴ及び他のＯＮＵ２〜ＯＮＵ４が通常の使用状態にあるものとする。ＯＬＴからの下りの光信号λ１は、ＯＮＵ１回線のＸ点においては波長選択フィルタ１２ｂ側により検出され、通信回線が活線状態と判定される。しかし、ＯＮＵ１からは上りの光信号λ２が送出されていないため、波長選択フィルタ１２ａ側では光信号λ２は検出されず、ＯＮＵ１回線の心線であると特定することができる。他のＯＮＵ２〜ＯＮＵ４は、下り光信号λ１及び上り光信号λ２のいずれも検出され、活線状態にあると判定される。
【００２５】
【発明の効果】
上述したとおり、本発明によれば、特定波長帯の光信号の有無を調べることができ、心線の特定を容易に行なうことができる。また、波長多重通信における特定波長帯の光信号の有無を判定することができ、さらに、ＰＤＮ（ＰＯＮ）回線において、現用回線の通信状態に影響を与えずにＯＮＵの有無及び回線の対照を、スプリッタ部分で確実に判定することができる。
【図面の簡単な説明】
【図１】光心線判別装置の一例を示す図である。
【図２】本発明の実施の形態を説明する図である。
【図３】ＰＤＳ（ＰＯＮ）通信線路を説明する図である。
【符号の説明】
１…光ファイバ、２…本体部、３…ヘッド部、４…半円状の凸出部、５…案内溝、６…可動部、７…操作つまみ、８…表示部、９…リセット釦、１０…曲げ付与部、１１…受光素子、１２、１２ａ，１２ｂ…波長選択フィルタ、１３…検出回路。
【図１】
2004109401.tif 000003
【図２】
2004109401.tif 000004
【図３】
2004109401.tif 000005